(57)【特許請求の範囲】
【請求項１】
シャンクに支持されたコア体を該シャンクと一体的に回転させて対象物に穿孔すると共に該コア体に設けられた切削刃へ前記シャンクに形成された径方向の横孔を介して給水を行う湿式コアドリル用の給水装置であって、
給水用の水を貯める貯水タンクと、
該貯水タンクへ気体を圧送するポンプ部と、
前記貯水タンク、前記ポンプ部、及び前記コアドリル間を接続するアダプタとを備え、
前記ポンプ部は、オペレータの把持操作によって内部空間が拡縮変形して前記貯水タンクへ給気する把持部を有し、
前記アダプタは、前記コアドリルに取り付けるためのドリル取付部を有する第１アダプタと、前記貯水タンクが着脱可能に取り付けられるタンク取付部及び前記ポンプ部が取り付けられるポンプ取付部を有する第２アダプタとを備え、
前記アダプタは、前記ドリル取付部及びタンク取付部間を連通し、前記コアドリルに取り付けられた状態で前記シャンクの横孔に連通する通水路と、該通水路を開閉する弁部とを有し、
前記第２アダプタが有するタンク取付部には、前記貯水タンク内の水を前記通水路へ導く可撓性チューブの一端部が接続され、該可撓性チューブの他端部は前記貯水タンク内に収容されており、
前記第２アダプタは更に、前記タンク取付部及び前記ポンプ取付部間を連通する通気路を有して、前記第１アダプタとの間は可撓性の通水チューブを介して連通するように接続されており、
前記弁部により前記通水路を閉じた状態で、前記ポンプ部により気体を圧送することにより、前記貯水タンク内を加圧状態に維持できるように構成されており、
更に、作業者が前記貯水タンクを携帯した状態で穿孔作業をするためのフックが前記貯水タンクに取り付けられている
ことを特徴とするコアドリル用の給水装置。
【請求項２】
前記ポンプ部が有する把持部は、オペレータの把持操作によって撓み得る可撓性部材を用いて略球殻形状に構成されていることを特徴とする請求項１に記載のコアドリル用の給水装置。
【請求項３】
前記ポンプ部は、外部から前記把持部の内部空間へ流れる空気の通流のみを許容する逆止弁と、前記把持部の内部空間から前記貯水タンク側へ流れる空気の通流のみを許容する別の逆止弁とを有することを特徴とする請求項１又は２に記載のコアドリル用の給水装置。
【請求項４】
前記アダプタが有するタンク取付部には雌ネジが形成されており、該雌ネジは、飲料用ペットボトルに形成されてキャップが螺着される雄ネジが螺合するように構成されていることを特徴とする請求項１乃至３の何れかに記載のコアドリル用の給水装置。
【発明の詳細な説明】
【技術分野】
【０００１】
本発明は、駆動機構の駆動によりコア体を回転させて対象物に対して穿孔すると共に該コア体に設けられた切削刃へ給水を行う湿式コアドリルに用いられる給水装置に関し、特に、コンパクトな構成であって、且つ、コア体の高速回転時にも十分な給水を実現することができる給水装置に関する。
【背景技術】
【０００２】
従来、コンクリートなどの穿孔用にコアドリルが広く使用されている。一般にこのコアドリルは、回転動力を発生する駆動機構と切削刃を有するコア体とがシャンクを介して接続された構成になっており、駆動機構の駆動によりシャンク及びコア体が一体的に回転するようになっている。このような構成としては、例えば、特開２００４−３４２１０号公報（特許文献１）に開示されているものがある。
【０００３】
また、コアドリルは湿式と乾式とに分類することができ、湿式の場合では、コアドリルに接続された給水装置から穿孔時に水を供給することにより、コア体に設けられた切削刃を冷却している。具体的には、コア体に接続されたシャンクには、その長手方向に直交する向き（径方向）に貫通する横孔が形成されている。更にシャンクには、一端が前記横孔に連通しつつ、シャンクの回転軸心位置をその軸長方向に沿って延設され、他端がシャンクにおけるコア体側の端部にて開口する縦孔が形成されている。そして、コアドリルに外付けされた給水装置から冷却水が供給されると、この冷却水はシャンクの前記横孔から縦孔を通り、コア体に設けられた切削刃へ送られてこれを冷却する。
【０００４】
給水装置の例としては、据え置き型の比較的大型の水タンク及び加圧ポンプを備えたものがあり、この水タンクとコアドリルとはホースを用いて接続される。この給水装置の場合、加圧ポンプによって水タンク内に圧縮空気を導入することができ、該圧縮空気の膨張作用により、冷却水がコアドリルへ圧送される。
【０００５】
また、給水装置の他の例としては、下部に排水口を有する注水カップを備えた自然落下給水方式のものがある。この給水装置の場合、注水カップに貯められた冷却水は、重力の作用によって排水口を通じて送り出され、コアドリルのシャンクに形成された横孔及び縦孔を通じてコア体へ供給される。
【特許文献１】
特開２００４−３４２１０号公報
【発明の開示】
【発明が解決しようとする課題】
【０００６】
ところで、上述した前者の給水装置を用いる場合、大型の水タンク及び加圧ポンプを備えるため、シャンクが高速回転中であっても切削刃への十分な給水が可能である一方、穿孔作業現場におけるコアドリルの可搬性の向上が図り難い。また、後者の給水装置を用いる場合は、現場での可搬性には優れているが、冷却水は圧送されず自重によって注水されるだけであるため、シャンクが高速回転中には十分な給水量を確保することが困難であり、結果的にシャンクの回転速度の向上を困難にしている。即ち、穿孔時に回転するシャンクの横孔へ供給される冷却水は、回転に伴って生じる遠心力に打ち勝つ水圧を有することにより縦孔へ到達することができる。しかしながら、自然落下給水方式の給水装置では、冷却水が比較的低圧であるため、シャンクの回転速度を高めることができない。
【０００７】
本発明は上述したような事情に鑑みてなされたものであり、大型の水タンクを必要とせずに可搬性の向上を図りつつ、冷却水を容易に加圧可能にすることによって、コアドリルの高速運転をも可能とする給水装置を提供することを目的とする。
【課題を解決するための手段】
【０００８】
上記目的を達成すべく、本発明に係るコアドリル用の給水装置は、コア体を回転させて対象物に穿孔すると共に該コア体に設けられた切削刃へ給水を行う湿式コアドリル用の給水装置であって、給水用の水を貯める貯水タンクと、該貯水タンクへ気体を圧送するポンプ部と、前記貯水タンク及び前記コアドリル間を接続するアダプタとを備え、前記ポンプ部は、オペレータの把持操作によって内部空間が拡縮変形して前記貯水タンクへ給気する把持部を有し、前記アダプタは、前記コアドリルに取り付けるためのドリル取付部と、前記貯水タンクが取り付けられるタンク取付部と、前記ドリル取付部及びタンク取付部間を連通する通水路と、該通水路を開閉する弁部とを有し、前記タンク取付部は、前記貯水タンクの取り付け方向を変更可能なように構成されている。
［０００９］  このような構成とすることにより、オペレータによる把持部の容易な把持操作によって貯水タンク内に加圧空気を送ることができ、貯水タンク内の水をコアドリルへ圧送することができる。このような把持部は、オペレータが把持可能なように比較的コンパクトな構成になっている。従って、可搬性の向上とコアドリルの高速運転とを可能とする給水装置を実現することができる。また、タンク取付部における貯水タンクの取り付け方向を変更できるので、貯水タンクの取り付けが容易であり、何れの方向の穿孔作業においても貯水タンクからの冷却水の供給を適切に行わせることができる。更に、前記アダプタは、前記ドリル取付部を有する第１アダプタと、前記タンク取付部を有する第２アダプタとを有し、該第２アダプタは前記第１アダプタに対して回動自在に接続するように構成してもよい。この場合には、簡単な構成によって、タンク取付部における貯水タンクの取り付け方向を変更することが可能になる。
［００１０］  また、前記ポンプ部が有する把持部は、オペレータの把持操作によって撓み得る可撓性部材を用いて略球殻形状に構成されていてもよい。このような構成とすることにより、オペレータが容易に把持操作をすることができると共に、シンプルな構成ゆえに生産性の向上を図ることも可能である。
［００１１］  また、前記ポンプ部は、外部から前記把持部の内部空間へ流れる空気の通流のみを許容する逆止弁と、前記把持部の内部空間から前記貯水タンク側へ流れる空気の通流のみを許容する別の逆止弁とを有していてもよい。このような構成とすることにより、ポンプ部が有する把持部をオペレータが把持操作した場合、外気の貯水タンクへの圧送と、貯水タンク内の水が把持部側へ漏れ出ることの防止とを、簡単な構成によって実現することができる。
［００１２］  また、前記タンク取付部は、前記貯水タンクがその排水口を下方へ向けて取り付けられるように構成されていてもよい。このような構成とすることにより、貯水タンク内の水は効率的にコアドリルへ供給され得る。
［００１３］  また、前記アダプタは、前記ポンプ部が取り付けられるポンプ取付部と、前記タンク取付部及びポンプ取付部間を連通する通気路とを有し、前記ポンプ部が有する把持部の内部空間は、前記アダプタが有する通気路を介して前記貯水タンクの内部空間に連通していてもよい。このような構成とすることにより、貯水タンクに加えてポンプ部もアダプタに取り付けられるため、よりコンパクトな給水装置を実現することができる。
［００１４］  また、前記アダプタが有するタンク取付部は、前記貯水タンクが着脱可能に取り付けられるように構成されていてもよい。このような構成とすることにより、貯水タンクへの水の補充が容易に行えると共にメンテナンス性にも優れる。
［００１５］  また、前記アダプタが有するタンク取付部には雌ネジが形成されており、該雌ネジは、飲料用ペットボトルに形成されてキャップが螺着される雄ネジが螺合するように構成されていてもよい。このような構成とすることにより、一般に市販されている飲料用ペットボトルを活用することができ、コストの削減を図ることが可能である。
［００１６］  また、前記アダプタが有するタンク取付部には、前記貯水タンク内の水を前記通水路へ導く可撓性チューブの一端部が接続され、該チューブの他端部には錘が取り付けられていてもよい。このような構成とすることにより、例えば、アダプタのタンク取付部に取り付けられた貯水タンクが、その排水口を上方へ向けた状態になっていても、チューブに取り付けられた錘が水底側（貯水タンクの内底部側）へ位置することとなるため、チューブを通じて水を通水路へ導くことができる。逆に貯水タンクがその排水口を下方へ向けた状態になっている場合であっても、同様にチューブに取り付けられた錘が水底側（排水口側）へ位置することとなるため、チューブを通じて水を通水路へ導くことができる。
［００１７］  また、前記チューブは、前記貯水タンクの姿勢に拘らず、前記錘の自重により前記他端部が前記貯水タンク内の下方に位置するように構成されていてもよい。このような構成とすることにより、貯水タンクの排水口が上向きであっても下向きであっても、貯水タンク内の水をチューブの他端部から通水路へ導くことができ、穿孔作業を行うことができる。
【発明の効果】
［００１８］  本発明によれば、大型の水タンクを必要とせずに可搬性の向上を図りつつ、冷却水を容易に加圧可能にすることによって、コアドリルの高速運転をも可能とする給水装置を提供することができる。また、貯水タンクの取り付け方向が変更可能であるため、貯水タンクの取り付けが容易になり、且つ、何れの方向の穿孔作業であっても貯水タンクの姿勢を変更し、適切に冷却水を供給することができる給水装置を提供することができる。
【図面の簡単な説明】
［００１９］［図１］図１は、本発明の実施の形態に係る給水装置と、該給水装置が取り付けられるコアドリルとを、一部分を断面にて示す外観図である。
［図２］図２は、図１に示す給水装置の分解図であり、一部分の構成を断面図により示している。
［図３］図３は、図１に示す給水装置の使用手順を示す図面であり、（ａ）は主として貯水タンクの取り付け状況を示し、（ｂ）はアダプタの取り扱い状況を示している。
【図４】図４は、図１に示す給水装置の使用手順を示す図面であり、（ａ）はポンプ部の操作を示しており、（ｂ）はインダクターコックの操作を示している。
【図５】図５は、他の構成に係る給水装置を示す分解図である。
【図６】図６は、図５に示す給水装置の使用状態を説明するための図面であり、（ａ）は下方へ向かって穿孔する場合の状態を示し、（ｂ）は上方へ向かって穿孔する場合の状態を示している。
【図７】図７は、他の構成に係る給水装置を示す分解図である。
【図８】図８は、他の構成に係る給水装置の外観を示す図面である。
【図９】図９は、更に他の構成に係る給水装置の外観を示す図面である。
【符号の説明】
【００２０】
１  コアドリル
３  シャンク
５  コア体
５ａ  切削刃
６  スリーブ
８  給水装置取付部
９  冷却水路
２０  給水装置
３０  アダプタ
３１  第１アダプタ
３１ｂ  ドリル取付部
３２  第２アダプタ
３２ｃ  ポンプ取付部
３３  インダクターコック
３４  タンク取付部
３７  通水路
３８  通気路
４０  貯水タンク
５０  ポンプ部
５１  送気球体（把持部）
５１ａ  内部空間
５２ａ  第１逆止弁体
５３ａ  第２逆止弁体
６０  給水通装置
６０ａ  アダプタ
６１  第１アダプタ
６２  第２アダプタ
６３  通水通路
６４  通気通路
６５  管状突起
７０  チューブ
７２  錘
８０  通水チューブ
【発明を実施するための最良の形態】
【００２１】
以下、本発明の実施の形態に係る給水装置について、図面を参照しながら具体的に説明する。図１は、本発明の実施の形態に係る給水装置と、該給水装置が取り付けられるコアドリルとを、一部分を断面にて示す外観図である。図１に示すように、コアドリル１は、駆動機構（図１において二点鎖線で示す）２が有する駆動軸（図示せず）に対し、チャック（図示せず）を介して上部が支持されるシャンク３を有する。シャンク３の下部には、着脱機構４を介して筒形状のコア体５の上部が接続されており、駆動機構２が有する駆動軸の回転に対してシャンク３及びコア体５は一体的に連動回転する。また、コア体５の下端周部には、穿孔用の切削刃５ａが周方向の所定間隔毎に設けられている。
【００２２】
シャンク３における長手方向の中央部分には、筒形状のスリーブ６が外嵌しており、該スリーブ６の内側に設けられたベアリングを介し、シャンク３はスリーブ６によって回転自在に支持されている。スリーブ６の周壁部には、内外を連通する図１で横方向に空けられた貫通孔が形成されており、この貫通孔は、後述する給水装置２０を取り付けるための給水装置取付部８を構成している。
【００２３】
スリーブ６に支持されたシャンク３には、その径方向（図１では横方向）に向かって延びる横孔９ａが、シャンク３を貫通して形成されている。この横孔９ａは、スリーブ６の給水装置取付部８に対応する位置に形成されており、シャンク３が回転する間に断続的に給水装置取付部８と連通する。
【００２４】
また、シャンク３内の回転軸心位置には、軸長方向に沿って延びる縦孔９ｂが形成されている。縦孔９ｂは、その上端部が、横孔９ａの長手方向の中央位置に接続されて該横孔９ａ内と連通する一方、下端部はコア体５の内側空間にて開口している。上述した横孔９ａ及び縦孔９ｂは、給水装置２０から供給された冷却水をコア体５へ導く冷却水路９を構成している。
【００２５】
一方、スリーブ６の給水装置取付部８に接続される給水装置２０は、主としてアダプタ３０と貯水タンク４０とポンプ部５０とから構成されている。図１に示すように、貯水タンク４０及びポンプ部５０は共にアダプタ３０に取り付けられ、そして、アダプタ３０が給水装置取付部８に接続されることによって給水装置２０はコアドリル１に取り付けられている。
【００２６】
図２は、給水装置２０の分解図であり、一部分の構成を断面図により示している。図２に示すように、アダプタ３０は第１アダプタ３１及び第２アダプタ３２から構成されており、第１アダプタ３１にはインダクターコック３３が設けられている。
【００２７】
より詳しく説明すると、第１アダプタ３１は略管形状を成す本体部３１ａを有し、その一端部は、コアドリル１が有するスリーブ６の給水装置取付部８に接続するためのドリル取付部３１ｂを成している。また、本体部３１ａの他端部は、第２アダプタ３２に接続するためのジョイント３１ｃを成している。そして、第１アダプタ３１の本体部３１ａ内には、ドリル取付部３１ｂとジョイント３１ｃとの間を結んで延びる第１通路３１ｄが形成されている。また、第１通路３１ｄの途中には、上述したインダクターコック３３が設けられており、これを操作することによって第１通路３１ｄの開閉及び開度の調節が可能になっている。
【００２８】
第２アダプタ３２は、略管形状を成す本体部３２ａを有し、その一端部は、第１アダプタ３１のジョイント３１ｃに接続するためのジョイント３２ｂを成している。また、本体部３２ａの他端部は、ポンプ部５０を接続するためのポンプ取付部３２ｃを成している。そして、第２アダプタ３２の本体部３２ａ内には、ジョイント３２ｂとポンプ取付部３２ｃとの間を結んで延びる第２通路３２ｄが形成されている。
【００２９】
第１アダプタ３１と第２アダプタ３２とは、第１アダプタ３１が有するジョイント３１ｃが、シール部材（例えば、Ｏリング）２５ａを介して第２アダプタ３２が有するジョイント３２ｂに内嵌することによって接続される。また、互いに接続された状態で、第１アダプタ３１が有する第１通路３１ｄと第２アダプタ３２が有する第２通路３２ｄとは連通される。
【００３０】
第２アダプタ３２が有する本体部３２ａの上部には、貯水タンク４０を取り付けるための筒形状のタンク取付部３４が設けられており、該タンク取付部３４の内部空間と第２通路３２ｄとは連通している。ここで、タンク取付部３４の内部空間から、第２アダプタ３２が有する第２通路３２ｄと第１アダプタ３１が有する第１通路３１ｄとを経由してドリル取付部３１ｂへ至る経路は、貯水タンク４０からの冷却水をコアドリル１へ導く通水路３７を構成している。また、第２アダプタ３２が有するポンプ取付部３２ｃから第２通路３２ｄを経由してタンク取付部３４へ至る経路は、ポンプ部５０からの空気を貯水タンク４０へ導く通気路３８を構成している。
【００３１】
筒形状を成すタンク取付部３４は、内壁部にネジ山が刻まれた雌ネジ３４ａを有している。また、本実施の形態において図２に示す貯水タンク４０は、一般に市販されている飲料用ペットボトルであり、その飲み口４１には雄ネジ４１ａが形成されている。一方、タンク取付部３４の雌ネジ３４ａは、貯水タンク４０の雄ネジ４１ａと螺合するように形成されている。そして、貯水タンク４０と第２アダプタ３２とは、それぞれの雄ネジ４１ａと雌ネジ３４ａとが間にシール部材（例えば、パッキン）２５ｂを介して螺着することによって、着脱可能に接続されている。
【００３２】
ポンプ部５０は、ゴムなどの可撓性材料から成る略球殻形状（より詳しくは、側面視で略楕円状の外形）の送気球体（把持部）５１を有している。この送気球体５１は、オペレータの握力によって比較的容易に撓むことができるように構成されており、オペレータの把持操作によってその内部空間５１ａは拡縮変形される。
【００３３】
送気球体５１には２つの開口部５２，５３が設けられており、一方の開口部５２には管形状を成す第１逆止弁体５２ａの一端部が接続されている。この第１逆止弁体５２ａの他端部は、第２アダプタ３２が有するポンプ取付部３２ｃに、シール部材（例えば、Ｏリング）２５ｃを介して接続され、該第１逆止弁体５２ａを介して送気球体５１の内部空間５１ａと第２アダプタ３２の第２通路３２ｄとは連通される。また、第１逆止弁体５２ａには図示しない逆止弁機構が内蔵されており、送気球体５１側から第２アダプタ３２側へ向かう空気の流れのみを許容し、逆方向への空気（又は水）の流れを遮断するようになっている。
【００３４】
また、送気球体５１が有する他方の開口部５３には、管形状を成す第２逆止弁体５３ａの一端部が接続されている。この第２逆止弁体５３ａの他端部は、外部に開放されており、外部空間と送気球体５１の内部空間５１ａとが第２逆止弁体５３ａを介して連通される。また、第２逆止弁体５３ａには図示しない逆止弁機構が内蔵されており、外部空間側から送気球体５１側へ向かう空気の流れのみを許容し、逆方向への空気（又は水）の流れを遮断するようになっている。
【００３５】
このようなポンプ部５０では、オペレータが送気球体５１を把持操作すると、内部空間５１ａが膨張および収縮する。そして、内部空間５１ａが膨張する際には、第２逆止弁体５３ａを通じて外気が送気球体５１内に取り込まれ、収縮する際には、第１逆止弁体５２ａを通じて送気球体５１内の空気が第２アダプタ３２側へ圧送される。また、第２アダプタ３２側へ圧送された空気は、通気路３８を通じて貯水タンク４０へ送られる。
【００３６】
上述したような構成を成す給水装置２０は、第１アダプタ３１のドリル取付部３１ｂが、コアドリル１が有するスリーブ６の給水装置取付部８に嵌挿されることによって該コアドリル１に連結される。
【００３７】
次に、コアドリル１に連結された給水装置２０の使用手順について図３及び図４を用いて説明する。はじめに、貯水タンク４０の容量の約半分程度の冷却水を該貯水タンク４０内に注水し、タンク取付部３４に螺着させる（図３（ａ），（ｂ）参照）。この際、事前にインダクターコック３３を操作して、通水路３７（第１通路３１ｄ）を閉じた状態にしておく。ここで、第２アダプタ３２は第１アダプタ３１に対し、シール性を維持したまま回動させることができるため、貯水タンク４０を螺着させる際には第２アダプタ３２を回動させ、タンク取付部３４を下向きにすれば作業が容易である（図３（ａ）参照）。そして、螺着させた後には第２アダプタ３２を回動し、貯水タンク４０を上側に配置させておく（図３（ｂ）参照）。
【００３８】
貯水タンク４０をセットし終えると、オペレータは、ポンプ部５０の送気球体５１を把持操作する（図４（ａ）参照）。即ち、送気球体５１をオペレータが手によって握ったり離したりすることを数回繰り返す。これにより、外部からポンプ部５０を介してアダプタ３０内に取り込まれた空気は、通気路３８を通って貯水タンク４０内の空きスペース（冷却水によって占められていない空間）に集められ、当該スペースの空気は加圧される。また、この作業中、第１逆止弁体５２ａ（図２参照）の作用によって、貯水タンク４０内の冷却水が送気球体５１内へ漏れ出ることはない。
【００３９】
貯水タンク４０内の空気が適度な圧力に達すると、送気球体５１の把持操作を止め、インダクターコック３３を開度を調節しつつ開く（図４（ｂ）参照）。これにより、貯水タンク４０内の冷却水は、加圧空気の作用により、通水路３７を通じてコアドリル１側へ勢いよく圧送される。本実施の形態に係るコアドリル１は、このようにして冷却水が供給された状態で使用され、供給された冷却水は冷却通路９を通じてコア体５下部の切削刃５ａへ送られ、これを冷却する。なお、コアドリル１の使用中、シャンク３及びコア体５は高速回転するが、給水装置２０はシャンク３を回転自在に支持するスリーブ６に取り付けられているため、シャンク３と共に回転しないようになっている。
【００４０】
このような構成を成す給水装置２０によれば、比較的小型に構成された貯水タンク４０及びポンプ部５０が、アダプタ３０を介してコアドリル１に固定的に取り付けられているため、可搬性に優れている。また、ポンプ部５０を操作することによって、貯水タンク４０内の冷却水をコアドリル１へ圧送することができるため、シャンク３が高速回転している場合であっても、適切に冷却水を供給することができる。
【００４１】
なお、上述した例では、貯水タンク４０及びポンプ部５０はアダプタ３０に対して固定的に接続された構成について説明しているが、例えば、可搬性が阻害されない程度においてホース等を介してフレキシブルに接続してもよい。また、図示した構成は本発明を適用し得る好適な一例であって、本発明に係る給水装置は上述した構成に限定されるものではない。例えば、ポンプ部５０が有する球殻形状の送気球体５１に換えて、周部が蛇腹形状を成して両端が閉塞された筒形状の把持部を用いてもよいし、更に他の構成に換えてもよい。
【００４２】
更に、貯水タンク４０として、飲料用ペットボトル以外の他の容器を用いてもよく、アダプタ３０に対して着脱可能に構成されていなくてもよい。この場合には、貯水タンク４０に封止可能な注水口を設ければよい。
【００４３】
次に、他の構成に係る給水装置６０について、図５を用いて説明する。図５に示す給水装置６０は、アダプタ６０ａと、既に説明したものと同様の構成を成すポンプ部５０とを備えている。アダプタ６０ａは、既に説明した給水装置２０が備えるアダプタ３０の第１アダプタ３１と同様の構成を成す第１アダプタ６１と、第２アダプタ３２とは異なる構成を成す第２アダプタ６２とから構成されている。なお、図５中に示す構成のうち、図１乃至図４を用いて既に説明したものと同様の構成を成す部分には、共通する符号を付しており、当該部分に関するここでの詳細な説明は省略する。
【００４４】
第２アダプタ６２は、略管形状を成す本体部６２ａを有し、その一端部は、第１アダプタ６１のジョイント３１ｃに接続するためのジョイント３２ｂを成し、他端部は、ポンプ部５０を接続するためのポンプ取付部３２ｃを成している。また、本体部６２ａにおいてジョイント３２ｂとポンプ取付部３２ｃとの間には、貯水タンク４０を取り付けるための筒形状のタンク取付部３４が設けられている。
【００４５】
ジョイント３２ｂ内には本体部６２ａの軸芯方向に沿って通水通路６３が延設され、該通水通路６３は途中で屈曲してタンク取付部３４へ至っている。そして、通水通路６３の一端はジョイント３２ｂの端部で開口し、他端はタンク取付部３４の内部空間へ向かって開口している。また、タンク取付部３４の内部空間には、該タンク取付部３４の内底部から開口方向へ向かって管状突起６３ａが突設されており、この管状突起６３ａの内部通路が通水通路６３の他端部を形成している。一方、ポンプ取付部３２ｃ内にも本体部６２ａの軸芯方向に沿って通気通路６４が延設され、該通気通路６４は途中で屈曲してタンク取付部３４へ至っている。そして、通気通路６４の一端はポンプ取付部３２ｃの端部で開口し、他端はタンク取付部３４の内底部にて内部空間へ向かって開口している。
【００４６】
第１アダプタ６１と第２アダプタ６２とは、第１アダプタ６１が有するジョイント３１ｃがシール部材２５ａを介して第２アダプタ６２が有するジョイント３２ｂに内嵌することにより接続され、この状態で、第１アダプタ６１が有する第１通路３１ｄと、第２アダプタ６２が有する通水通路６３とは連通される。また、第２アダプタ６２とポンプ部５０とは、ポンプ部５０が有する第１逆止弁体５２ａがシール部材２５ｃを介して、第２アダプタ６２のポンプ取付部３２ｃに接続され、この状態で、ポンプ部５０が有する送気球体５１の内部空間５１ａと、第２アダプタ６２が有する通気通路６４とは連通される。従って、ポンプ部５０の送気球体５１を把持操作すると、外部から送気球体５１内に取り込まれた空気が、通水通路６３から独立した通気通路６４を通ってタンク取付部３４へ送られ、該タンク取付部３４に貯水タンク４０が取り付けられていれば、該貯水タンク４０内へ給気される。
【００４７】
また、第２アダプタ６２のタンク取付部３４には、貯水タンク４０内の水を通水通路６３へ送り出す可撓性のチューブ７０が設けられている。このチューブ７０は、貯水タンク４０の高さ寸法と同等又はそれより若干長い寸法を有し、その基端部（通水下流部）が、第２アダプタ６２のタンク取付部３４内に設けられた管状突起６３ａに外嵌して接続されている。また、チューブ７０の先端部（通水上流部）には、ブロック状の錘７２が取り付けられている。そして、このようなチューブ７０は、注水された貯水タンク４０を第２アダプタ６２のタンク取付部３４へ取り付ける際、該貯水タンク４０内へ収容される。
【００４８】
このような給水装置６０の使用時の状態について、図６を用いて説明する。図６（ａ）は下方へ向かって穿孔する場合の状態を示し、図６（ｂ）は上方へ向かって穿孔する場合の状態を示している。図６（ａ）に示すように下方へ向かって穿孔する場合は、コンクリート壁面等の穿孔面に貯水タンク４０が接触するのを避けるため、飲み口４１が下になるように貯水タンク４０を向けている。このとき、貯水タンク４０内のチューブ７０は、先端部に取り付けられた錘７２の自重によって水底側（貯水タンク４０の飲み口４１側）へ沈む。その結果、チューブ７０は先端部から水を取り込むことができ、第２アダプタ６２の通水通路６３へその水を導くことができる。
【００４９】
一方、図６（ｂ）に示すように上方へ向かって穿孔する場合は、穿孔面と貯水タンク４０との接触を避けるため、飲み口４１が上になるように貯水タンク４０を向けている。このとき、貯水タンク４０内のチューブ７０は、先端部に取り付けられた錘７２の自重によって水底側（貯水タンク４０の底部側）へ沈む。その結果、チューブ７０の先端部から水を取り込むことができ、通水通路６３へその水を導くことができる。また、図示しないが左右方向へ向かって穿孔する場合も、チューブ７０の先端部は錘７２の自重によって水底側へ位置するため、水を取り込むことができる。
【００５０】
このように、図５に示す給水装置６０にあっては、穿孔方向や貯水タンク４０の向きに関わらず、貯水タンク４０内の水をチューブ７０を通じて通水通路６３へ導くことができ、コア体５株の切削刃５ａ（図１参照）へ供給することができる。
【００５１】
ところで、上述した給水装置６０の説明では、コアドリル１のスリーブ６、第１アダプタ６１、第２アダプタ６２、及びポンプ部５０が、互いに固定的に接続された構成を開示したが、本発明はこのような構成に限定されるものではない。
【００５２】
例えば、給水装置６０において第１アダプタ６１と第２アダプタ６２との間を直接的に接続するのではなく、図７に示すように、シリコン等から構成された可撓性の通水チューブ８０で両者間を接続するようにしてもよい。この場合、通水チューブ８０の上流側端部８０ａと第２アダプタ６２のジョイント３２ｂとの間は、他のジョイント８１を介して接続し、通水チューブ８０の下流側端部８０ｂと第１アダプタ６１のジョイント３１ｃとの間は、必要に応じて図示しない他のジョイントを介して接続すればよい。
【００５３】
また、図７に示す給水装置６０には、貯水タンク４０を作業者の腰ベルト（図示せず）等に引っ掛けるための携帯用フック８２が備えられている。この携帯用フック８２は、貯水タンク４０として飲料用のペットボトルを使用する場合には、一般に販売されているペットボトル携帯用フックを用いることができる。
【００５４】
そしてこの場合、貯水タンク４０、ポンプ部５０、及び第２アダプタ６２をまとめて腰ベルト等に懸架した状態で、コアドリル１により対象物の穿孔作業を行うことができて利便性が向上する。即ち、作業者が手に持つコアドリル１に対し、重量物である貯水タンク４０を独立して腰ベルト等の別の場所で支持することとなるので、作業性が向上する。なお、通水チューブ８０の長さ寸法の長短が作業性向上の妨げとならないように、その長さ寸法はおよそ１ｍ〜１．５ｍ程度とすることが望ましい。
【００５５】
また、図８の給水装置６０に示すように、第１アダプタ６１と第２アダプタ６２との間を固定的に接続し、第１アダプタ６１とコアドリル１のスリーブ６との間を通水チューブ８０によって接続するようにしてもよい。この場合であっても、図７に示した構成の給水装置６０と同様に、作業性の向上を図ることができる。
【００５６】
更に、図９の給水装置６０に示すように、第２アダプタ６２とポンプ部５０との間を通水チューブ８０によって接続するようにしてもよいし、図７乃至図９に示す構成を互いに組み合わせ態様であってもよい。
【００５７】
なお、上記図７乃至図９に示す構成のうち、既に説明した構成と同様の部分については共通した符号を付しており、ここでの詳細な説明は省略する。また、図７乃至図９に示した通水チューブ８０を備える構成は、図５及び図６に示した給水装置４０のみに限られものではなく、図１乃至図４を用いて既に説明した給水装置２０に対しても適用することができることは言うまでもない。
【産業上の利用可能性】
【００５８】
本発明は、コンクリートなどに穿孔するための湿式コアドリル用の給水装置に適用するものである。特に、大型の水タンクを必要とせずに可搬性の向上を図りつつ、冷却水を容易に加圧可能にすることによって、コアドリルの高速運転をも可能とする給水装置として好適に適用することができる。
【図１】
0004903059.tif 000002
【図２】
0004903059.tif 000003
【図３】
0004903059.tif 000004
【図４】
0004903059.tif 000005
【図５】
0004903059.tif 000006
【図６】
0004903059.tif 000007
【図７】
0004903059.tif 000008
【図８】
0004903059.tif 000009
【図９】
0004903059.tif 000010